(57)【要約】【課題】本発明は、洗い場側および浴槽側のいずれからでも鏡を見ることができ、且つ洗い場側と浴槽側の間をスライド可能な収納部を備え、さらに縦幅の大きな鏡および収納部を両方同時に設けることが可能な浴室ユニットを提供する。【解決手段】壁パネルに取り付けられ、浴槽側から洗い場床部まで延在するように配置された横長形状の鏡と、鏡の前面に配置された収納棚と、収納棚を、鏡に沿うように浴槽側と洗い場床部側との間で水平方向にスライド可能とするレール部と、を備えていることを特徴とする。【選択図】図１
2009195513.tif 000002
【特許請求の範囲】
【請求項１】
浴槽と、前記浴槽と隣接して配置された洗い場床部と、
前記浴槽および洗い場床部の周囲に立設された壁パネルと、
前記壁パネルに取り付けられ、前記浴槽側から前記洗い場床部まで延在するように配置された横長形状の鏡と、
前記鏡の前面に配置された収納棚と、
前記収納棚を、前記鏡に沿うように前記浴槽側と前記洗い場床部側との間で水平方向にスライド可能とするレール部と、
を備えていることを特徴とする浴室ユニット。
【請求項２】
前記レール部は、前記鏡の上辺と下辺をまたぐように取り付けられ、前記鏡の化粧カバーを兼用できる形状を有していることを特徴とする請求項１記載の浴室ユニット。
【請求項３】
前記収納棚をスライドさせることで、前記鏡の表面の水滴を除去することができるように、前記収納棚の裏面に軟質材料が貼着されていることを特徴とする請求項１または２記載の浴室ユニット。
【請求項４】
浴槽と、
前記浴槽と隣接して配置された洗い場床部と、
前記浴槽および洗い場床部の周囲に立設された壁パネルと、
前記壁パネルに取り付けられた鏡と、
前記鏡の前面に配置された収納棚と、
前記鏡を前記浴槽側と前記洗い場床部側との間で水平方向にスライド可能とし、且つ前記収納棚を前記浴槽側と前記洗い場床部側との間で水平方向にスライド可能とするレール部と、を備えていることを特徴とする浴室ユニット。
【請求項５】
前記鏡と収納棚のスライド移動を連動させる連動機構を有し、
前記連動機構は、一方をスライド移動させると、他方が逆方向にスライド移動することを特徴とする請求項４記載の浴室ユニット。
【請求項６】
前記収納棚をスライドさせることで、前記鏡の表面の水滴を除去することができるように、前記収納棚の裏面に軟質材料が貼着されていることを特徴とする請求項４または５記載の浴室ユニット。
【発明の詳細な説明】
【技術分野】
【０００１】
本発明は、浴槽側と洗い場側との間を水平方向にスライド可能な収納棚を備えた浴室ユニットに関する。
【背景技術】
【０００２】
従来、洗い場側および浴槽側のいずれからでも鏡を見ることができるように、横長形状の鏡を備えた浴室ユニットが提案されている（例えば、特許文献１参照。）。また、洗い場側および浴槽側のいずれからでも収納部にアプローチできるように、スライド可能な収納部を備えた浴室ユニットが提案されている（例えば、特許文献２参照。）。
【特許文献１】特開平７−１１７８８号公報
【特許文献２】実開昭６２−１５１３８６号公報
【発明の開示】
【発明が解決しようとする課題】
【０００３】
しかしながら、洗い場側と浴槽側に面する横長鏡を取り付け、さらに洗い場側と浴槽側の間をスライド可能な収納部を設けるとなると、鏡と収納部とが干渉してしまい、縦幅の大きな鏡および収納部を両方同時に設けることができないという問題があった。
【０００４】
本発明は上述した問題に鑑みてなされ、洗い場側および浴槽側のいずれからでも鏡を見ることができ、且つ洗い場側と浴槽側の間をスライド可能な収納部を備え、さらに縦幅の大きな鏡および収納部を両方同時に設けることが可能な浴室ユニットを提供する。
【課題を解決するための手段】
【０００５】
本発明の一態様によれば、浴槽と、前記浴槽と隣接して配置された洗い場床部と、前記浴槽および洗い場床部の周囲に立設された壁パネルと、前記壁パネルに取り付けられ、前記浴槽側から前記洗い場床部まで延在するように配置された横長形状の鏡と、前記鏡の前面に配置された収納棚と、前記収納棚を、前記鏡に沿うように前記浴槽側と前記洗い場床部側との間で水平方向にスライド可能とするレール部と、を備えていることを特徴とする。
【０００６】
また、本発明の一態様によれば、浴槽と、前記浴槽と隣接して配置された洗い場床部と、前記浴槽および洗い場床部の周囲に立設された壁パネルと、前記壁パネルに取り付けられた鏡と、前記鏡の前面に配置された収納棚と、前記鏡を前記浴槽側と前記洗い場床部側との間で水平方向にスライド可能とし、且つ前記収納棚を前記浴槽側と前記洗い場床部側との間で水平方向にスライド可能とするレール部と、を備えていることを特徴とする。
【発明の効果】
【０００７】
本発明に係る浴室ユニットによれば、洗い場側および浴槽側のいずれからでも鏡を見ることができ、且つ洗い場側と浴槽側の間をスライド可能な収納部を備え、さらに縦幅の大きな鏡および収納部を両方同時に設けることが可能な浴室ユニットを提供することができる。
【発明を実施するための最良の形態】
【０００８】
図１に示すように、本実施形態の浴室ユニット１は、浴槽２、浴槽に隣接した洗い場床部３、浴槽と洗い場床の周囲を取り囲む壁パネル４、壁パネルの正面に配置された浴槽側の端辺から洗い場側の端辺まで延在するように形成された横長形状の鏡５、鏡の前面且つ鏡に沿うようにレール６が上下に設置され、レールに沿って浴槽側と洗い場側を水平方向にスライドする収納棚７が設けられている。
【０００９】
さらに、洗い場側に面する鏡６および収納棚７の下部には、棚付き水栓が取り付けられており、棚付き水栓の下方に空間をあけて浴室カウンターが配設されている。
【００１０】
従来は洗い場床３側に固定の収納棚が取り付けられている場合が多く、浴槽内２で使用したい物は、浴槽２内に浸かる時に持って行くか、浴槽側にあらかじめ置いておくなどしなければならなかった。
【００１１】
本発明における収納棚７には、洗い場側で使用すると考えられるシャンプーやボディーソープと同時に、浴槽側で使用すると考えられる入浴剤や子供のおもちゃ、ボディケア用品などを置くことができる。浴槽２にも洗い場３にも自由に動かすことができるので、収納棚７ごと移動すれば、収納棚から手に取り、使用後すぐに、収納棚に戻すことが可能になっている。浴槽に浸かった後に、一度洗い場側へ出て、必要なものを取に行く手間も省くことが可能になっている。
【００１２】
図２は、本発明の第２実施形態による浴室ユニット内に取り付けられた収納棚を示す断面図である。鏡８の上下には、鏡を支えるための爪、もしくはフレーム９が壁パネル４に取設されている。鏡の前で収納棚１０をスライドさせるためには、鏡に沿ったレールを設置しなければならないが、フレーム９が収納棚のレールとなるための強度と形状を兼ね備えている。これにより、必要な部品が半分となり、コストも抑えられる。また、部品が少ないことで、外観にスッキリした印象を与えている。
【００１３】
図３は、本発明の第３実施形態による浴室ユニット内に取り付けられた収納棚を裏側からみた斜視図である。収納棚１１の裏面側端部に軟質材料１２を貼着している。収納棚をレールに沿ってスライドさせると、軟質部が鏡と擦れ、鏡の表面の水滴を除去することが可能になっている。つまり、使用者が収納棚をスライドさせることで、必然的に軟質部材が鏡表面に接触することになるため水滴が除去され、浴室鏡の曇りを解消することができる。
【００１４】
図４は、本発明の第４実施形態による浴室ユニット内に取り付けられた収納棚を示す立面図である。本実施形態の浴室ユニット１３は、浴槽１４、浴槽に隣接した洗い場床部１５、浴槽と洗い場床の周囲を取り囲む壁パネル１６、壁パネルの正面に配置された矩形鏡１７、浴槽側と洗い場側を水平方向にスライドすることが可能な鏡の上辺と下辺に沿って延長して配置されたレール１８、同様に浴槽側と洗い場側を鏡の前面に沿って水平方向にスライドすることが可能なレールに設けられた収納棚１９が設けられている。
【００１５】
第１または２または３実施形態の鏡は、壁パネルに固定された横長状の鏡であったが、本実施形態において鏡１７はスライド可能であり、従来の固定された鏡では、鏡裏の清掃は不可能であったが、それを可能にしている。さらに、横長鏡はコストが高いため、必要な場所にスライドさせることで、横幅の小さな鏡でも浴槽側、洗い場側どちらの場所においても、必要な場所で鏡を使用することが可能になっている。
【００１６】
本発明の第５実施形態による浴室ユニット内に取り付けられた鏡１７と収納棚１９はスライド機構が連動しており、一方をスライドさせると、他方が対称方向へスライドすることが可能になっている。
【００１７】
第４実施形態と同じく、鏡のコストを抑えた場合に、必要な場所で収納棚を使用し、その後鏡を使用する場合に有効である。
【００１８】
浴槽内でフェイスケアをする場合、収納棚に載っているクリーム等を手に取った後は、鏡を見ながらの作業となるが、その場合、収納棚を洗い場側へスライドさせれば、わざわざ
鏡を引き寄せる手間を省くことが可能になっている。
【図面の簡単な説明】
【００１９】
【図１】本発明に係る浴室ユニットの正面図。
【図２】収納棚を示す断面図。
【図３】収納棚を裏側からみた斜視図。
【図４】本発明に係る浴室ユニットの正面図。
【符号の説明】
【００２０】
１  浴室ユニット
２  浴槽
３  洗い場床部
４  壁パネル
５  鏡
６  レール
７  収納棚
８  鏡
９  フレーム
１０  収納棚
１１  収納棚
１２  軟質材料
１３  浴室ユニット
１４  浴槽
１５  洗い場床部
１６  壁パネル
１７  鏡
１８  レール
１９  収納棚
【図１】
2009195513.tif 000003
【図２】
2009195513.tif 000004
【図３】
2009195513.tif 000005
【図４】
2009195513.tif 000006